(57)【要約】【課題】カレンダーにスポンサーの広告欄を設けて、同広告欄に掲載したスポンサーのカレンダーの企画者や頒布者が広告料収入を得ることができ、またカレンダーの七曜表の日付欄に薬袋や薬の服用指示票を吊り下げることができるようにして薬の飲み忘れを防止できるようにする。【解決手段】七曜表３Ａの欄のほかに頒布者の表示欄とスポンサー用の広告欄を設け、また七曜表の各日付欄３、３に朝・昼・夕等の薬の服用時間帯４が表示されたものとして、各服用時間帯の表示部分に薬袋２を着脱可能に取り付けることができるようにした。【選択図】　図１
2004098293.tif 000002
【特許請求の範囲】
【請求項１】
七曜表の欄のほかに頒布者の表示欄とスポンサー用の広告欄を設けてなるカレンダー。
【請求項２】
前記七曜表の各日付欄に朝・昼・夕等の薬の服用時間帯が表示されている請求項１に記載のカレンダー。
【請求項３】
前記各服用時間帯の表示部分に薬袋を着脱可能に取り付けることができるようにしてなる請求項２に記載のカレンダー。
【請求項４】
前記七曜表の各服用時間帯に対応する個所に係合孔が形成され、フックと頭部が幅の狭い首部で連続する係合片を備え、薬袋の上部にあけた孔に通した係合片の前記頭部が七曜表の所要の係合孔に挿入されてカレンダーの裏面に係合して薬袋が係合片により吊り下げられるようにした請求項２に記載のカレンダー。
【請求項５】
前記係合片は若干弾性を有する素材よりなり、頭部の横幅は係合孔の径よりも大であるが、頭部は係合孔に挿入される際に撓められることにより横幅が小となって係合孔を通過し、裏側にて頭部が適度に弾性復元して裏面に係合するようにした請求項４に記載のカレンダー。
【請求項６】
前記各服用時間帯が横方向に並んで表示され、かつ前記係合孔が横に並びにしかもスリットよりなる連通部で互いに接続されてなる請求項４に記載のカレンダー。
【請求項７】
前記七曜表の各服用時間帯の表示部分に服用指示票を着脱自在に取り付けることができるようにしてなる請求項２に記載のカレンダー。
【請求項８】
前記服用指示票を、再剥離性の粘着剤によって着脱自在に取り付けられるようにした請求項７に記載のカレンダー。
【請求項９】
前記七曜表の各服用時間帯に対応する個所に係合孔が形成され、フックと頭部が幅の狭い首部で票本体と連続する服用指示票を備え、服用指示票の前記頭部が七曜表の所要の係合孔に挿入されてカレンダーの裏面に係合して吊り下げられるようにした請求項２に記載のカレンダー。
【発明の詳細な説明】
【０００１】
【発明の属する技術分野】
本発明は全く新規なカレンダーに関する。
【０００２】
【従来のカレンダー】
カレンダーは自社の宣伝、広告媒体として顧客や消費者に頒布しており、したがってその制作費は自社が負担しており、その費用はないがしろにできない額となっている。
また、従来のカレンダーは単に七曜暦を表示したものに過ぎなかった。
【０００３】
【発明の目的】
本発明はカレンダーにスポンサーの広告欄を設けて、同広告欄に掲載したスポンサーの広告掲載料でカレンダーの制作企画者あるいは頒布者がカレンダーを制作できるようにした。
【０００４】
また、本発明はカレンダーの七曜表の日付欄に薬の服用時間帯の表示をし、その表示部に薬袋や薬の服用指示票を吊り下げることができるようにして薬の飲み忘れを防止できるようにし、また、薬を服用した後は次ぎの指定服用時間帯への薬袋や服用指示票の移動を容易に行なえるようにした。
【０００５】
【発明の構成】
上記目的を達成するために、本発明の請求項１に係るカレンダーは、七曜表の欄のほかに頒布者の表示欄とスポンサー用の広告欄を設けたものとしてある。
【０００６】
本発明の請求項２に係るカレンダーは、請求項１に記載の七曜表の各日付欄に朝・昼・夕等の薬の服用時間帯が表示されたものとしてある。
【０００７】
本発明の請求項３に係るカレンダーは、請求項２に記載の各服用時間帯の表示部分に薬袋を着脱可能に取り付けることができるようにしたものとしてある。
【０００８】
本発明の請求項４に係るカレンダーは、請求項２に記載の七曜表の各服用時間帯に対応する個所に係合孔が形成され、フックと頭部が幅の狭い首部で連続する係合片を備え、薬袋の上部にあけた孔に通した係合片の前記頭部が七曜表の所要の係合孔に挿入されてカレンダーの裏面に係合して薬袋が係合片により吊り下げられるようにしたものとしてある。
【０００９】
本発明の請求項５に係るカレンダーは、請求項４に記載の前記係合片が若干弾性を有する素材よりなり、頭部の横幅は係合孔の径よりも大であるが、頭部は係合孔に挿入される際に撓められることにより横幅が小となって係合孔を通過し、裏側にて頭部が適度に弾性復元して裏面に係合するようにしたものとしてある。
【００１０】
本発明の請求項６に係るカレンダーは、請求項４に記載の各服用時間帯が横方向に並んで表示され、かつ前記係合孔が横に並びにしかもスリットよりなる連通部で互いに接続されてなるものとしてある。
【００１１】
本発明の請求項７に係るカレンダーは、請求項２に記載の七曜表の各服用時間帯の表示部分に服用指示票を着脱自在に取り付けることができるようにしたものとしてある。
【００１２】
本発明の請求項８に係るカレンダーは、請求項７に記載の服用指示票を、再剥離性の粘着剤によって着脱自在に取り付けられるようにしたものとしてある。
【００１３】
本発明の請求項９に係るカレンダーは、請求項２に記載の七曜表の各服用時間帯に対応する個所に係合孔が形成され、フックと頭部が幅の狭い首部で票本体と連続する服用指示票を備え、服用指示票の前記頭部が七曜表の所要の係合孔に挿入されてカレンダーの裏面に係合して吊り下げられるようにしたものとしてある。
【００１４】
【実施例】
以下、本発明の実施例を添付図面に基づいて説明する。
本発明のカレンダーは自社、すなわち頒布者の宣伝広告用に止まらず、スポンサーの広告欄を設けて、同広告欄にスポンサーの商品を掲示することにより、カレンダーの頒布者や企画者がスポンサーの広告料収入を得ることができるようにしてあり、いわばビジネスモデル特許として有用に活用できるようにしてある。
【００１５】
また、本発明における七曜表は単なる七曜暦ではなく、薬を所定時間に常に忘れることなく服用せしめるように工夫した薬服用カレンダーにもしてある。
すなわち、本発明のカレンダー１は図１に示されるように１か月の七曜表（七曜暦）３Ａを表示したものに止まらず、七曜表のほかに、スポンサーの広告欄１５とカレンダーの頒布者の表示欄１６を設けてある。
【００１６】
上記スポンサーの広告欄１５は、例えば製薬会社、医療機器メーカー、医療用食品メーカー、介護用品メーカーあるいは介護業者等の医療関連会社の商品、サービスの広告を印刷する欄としてあって、頒布者の表示欄１６は、薬をカレンダーとともに頒布する例えば薬局、薬店名や病院名とその住所、電話番号等を印刷する欄としてあり、頒布者や企画者がスポンサーからの広告料収入を得ることができるようにしてある。
【００１７】
しかして前記七曜表３Ａの各日付欄３、３・・・内には、例えば「朝」・「昼」・「夕」等の服用時間帯４の表示を付してあるとともに、各服用時間帯の表示に対応する縦長の長円形の孔よりなる係合孔４ａ、４ｂ、４ｃを設けてあって、その所要の係合孔へ係合片６によって薬袋２を吊り下げるようにしてある。
【００１８】
係合片６は例えば図２に示されるように略円形状の頭部７と略二等辺三角形状のフック部８が横幅の狭い首部９で連続する形状の薄手のボール紙や合成樹脂板等の薄板よりなるものとしてあり、上記頭部７を前記係合孔４ａ、４ｂ、４ｃの所要のものに挿通せしめてこの頭部を係合孔の裏側へ係合せしめ、またフック部８を薬袋２の上辺部にあけた孔１０に係合せしめて薬袋を吊り下げるようになっている。
【００１９】
次ぎに、係合孔４ａ、４ｂ、４ｃと係合片６の寸法関係を図２、３に示す具体例に基づいて説明する。
係合片６はその頭部７が係合孔に挿通されてカレンダーの裏面に係合するので、頭部７の横幅Ｒを係合孔の横幅ｒ２よりも大とし、かつ首部９の幅Ｎを係合孔の横幅ｒ２より小とする。また、頭部７の幅Ｒは係合孔の縦幅ｒ１よりも小とする。
【００２０】
すなわち、頭部７の横幅Ｒ、係合孔４ａ、４ｂ、４ｃの横幅ｒ２と縦幅ｒ１および首部８の幅Ｎの関係は、
ｒ１≧Ｒ＞ｒ２＞Ｎ
とする。
【００２１】
また、フック部８の横幅Ｗは薬袋２にあけられた吊り下げ用の孔１０の径よりも大とし、頭部７の横幅Ｒは吊り下げ用の孔１０の径よりも小とする。
【００２２】
次ぎに、上述した構成のカレンダーに薬袋２を取り付ける具体例について説明する。
まず、係合片６をその横幅方向が上下となるようにして頭部７を薬袋２の上辺部にあけた吊り下げ用の孔１０に挿通し、さらに頭部７を係合孔４ａ、４ｂ、４ｃの所要のものに通してカレンダーの裏側に臨ませる。
【００２３】
頭部７が係合孔を通過して首部９が係合孔の位置に来たら、係合片６をその挿通方向まわりに９０度回転させる。
【００２４】
かくすると、頭部７の横幅Ｒが係合孔４ａ、４ｂ、４ｃの横幅ｒ２よりも小であるから、頭部７がカレンダーの裏面に係合し、また、薬袋２は吊り下げ用の孔１０がフック部８における左右の上縁に係合して安定よろしく吊り下げられる。薬袋２を取り外す際には、係合片６を再び９０度回転させ、頭部７の側縁を縦方向にして引き出せばよい。
【００２５】
上述した実施例においては、係合孔を縦長の長円形状としたが、円形の係合孔とする場合もあり、この場合には係合片６を若干弾性を有する素材、例えばボール紙や薄手の合成樹脂材で構成し、頭部７は係合孔４ａ、４ｂ、４ｃに挿入される際に撓められることにより横幅が小となって係合孔を通過させられ、カレンダーの裏側にて頭部が弾性復元力により元の横幅に戻されて係合する。なお、係合片の素材は破れにくい材質のものが好ましい。
【００２６】
上述のように構成した本発明に係るカレンダーの使用方法の一例について説明する。
病院や薬局で受け取った薬袋２を最初の服用時間帯に対応する被係合部の係合孔に吊り下げておき、最初の服用時に係合片６を係合孔４ａ、４ｂ、４ｃから外して薬袋から１回分の薬を取り出して服用し、薬袋を次回の服用時間帯に対応する被係合部の係合孔に吊り下げておく。
【００２７】
次ぎに、本発明の他の実施例を図４、５に基づいて説明する。
本実施例のカレンダー１も図４に示されるように、上述した実施例のものと同じく七曜表３Ａのほかにスポンサーの広告欄１５とカレンダー頒布者の表示欄１６を設けてある。
【００２８】
七曜表３Ａの各日付欄３、３・・・内には例えば「朝」・「昼」・「夕」等の服用時間帯４の表示を付してあるとともに、各服用時間帯の表示に対応する係合孔４ａ、４ｂ、４ｃを設けてあって、所要の係合孔へ後述の係合片６によって薬袋２を吊り下げるようにしてある。
【００２９】
しかして服用時間帯用の係合孔４ａ、４ｂ、４ｃは図５に拡大して示すようにスリットよりなる連通部５によって互いに接続されており、連通部５は１日分の係合孔４ａ、４ｂ、４ｃだけを接続するように設けるばあいもあるし、数日分について、あるいは１週間分について連続して設けるばあいもある。
【００３０】
薬袋は病院や薬局から渡された処方袋２ａをそのまま使用するばあいもあるし、あるいは図６に示すように処方袋２ａをさらにプラスチックフィルム袋よりなる大きな薬袋２ｂに入れて薬袋２として使用するばあいもあり、大きな薬袋２ｂは後胴部の上部にフラップ１１のあるものとし、このフラップに係合片の頭部を通す孔１０ａをあけてある。
【００３１】
係合片６はその頭部７が係合孔４ａ、４ｂ、４ｃに挿入されてカレンダーの裏面に係合するので、頭部７の横幅Ｒは係合孔の横幅ｒよりも大とし、かつ首部９の幅Ｎを係合孔の横幅ｒおよび薬袋係合孔の横幅より小としてあり、また、フック部８の幅Ｗは薬袋係合孔の横幅よりも大としてある。
【００３２】
次ぎに、上述したカレンダーの使用法について説明する。
薬袋の孔１０に通した係合片６の頭部７を例えば朝食後の係合孔４ａと昼食後の係合孔４ｂとを結ぶ連通部５内に差し込んでから係合片を朝食後の係合孔４ａまで連通部５で移動させて朝食後の係合孔４ｂへ係合片の頭部を落とし込むことにより薬袋を朝食後の係合孔４ａの箇所に吊り下げる。
【００３３】
朝食後薬袋から薬を取り出して服用したら、係合片を係合孔４ａの上部まで引き上げ、連通部５に沿って昼食後の係合孔４ｂまで移動させ、その係合孔４ｂ内に落とし込むことにより、薬袋を昼食後の薬服用位置に吊り下げておく。
以下、同様の手順で係合片を連通部５により夕食後の係合孔４ｃへ移動せしめて、夕食後の服用位置に薬袋を吊り下げる。
【００３４】
したがって、一旦朝食後の係合孔４ａに薬袋を吊り下げたら、以後夕食後の係合孔４ｃまでの薬袋の移動は係合片を各係合孔から取り外して次ぎの係合孔へ挿入するという煩わしさを解消できる。
【００３５】
なお、夕食後に薬を服用したときは係合孔を夕食後の係合孔４ｃから取り外し、次ぎの日の朝食後の係合孔へ前述した要領で係合片により薬袋を吊り下げる。
【００３６】
上述した各実施例のものでは、薬袋２をカレンダー１に吊り下げるようにしてあるが、多数種の薬を服用する場合は薬袋が厚くなって嵩張ったり、重くなったりするので、薬袋を吊り下げる代わりに例えば図７に示されるように「薬を服用しましたか」等の表示を付したカードや付箋タイプの服用指示票１２をカレンダー１に吊り下げるようにする場合もある。
【００３７】
上記服用指示票１２は前記係合片６と同じく上部に頭部７を有し、頭部と指示票本体１３との間に幅の狭い首部９が形成されており、係合孔４ａ、４ｂ、４ｃとの寸法関係や係合方法は係合片と同じであり、頭部７を所要の服用時間帯の係合孔へ引っ掛けて吊り下げる。
【００３８】
この場合は、服用時間帯に吊り下げてある服用指示票を確認して、別途薬袋から薬を取り出して服用し、服用後は次ぎの服用時間帯の箇所に服用指示票を移動させる。
【００３９】
また、服用指示票は図８に示すように頭部や首部を設けずに、上辺の裏面に設けた粘着剤１４によってカレンダーの服用時間帯の箇所に取り付けるようにする場合もあり、粘着剤には何度も貼ったり剥がしたりすることのできる再剥離性の良好な例えばアクリル系粘着剤を使用する。
【００４０】
この場合も服用時間帯に貼り付けてある服用指示票を確認して、別途薬袋から取り出した薬を服用し、服用後は次ぎの服用時間帯の箇所に服用指示票を貼り付けておく。
【００４１】
この場合にはカレンダーの所要の服用時間帯４の位置に服用指示票を貼り付ければよいので、カレンダーに服用時間帯用の係合孔をあける必要はない。
【００４２】
さらに、上述した各実施例においては、１枚ものの１か月分のカレンダーの例を挙げたが、１枚の裏表で２か月分のカレンダーとする場合もあり、この場合には係合孔を裏表共用とするので、係合孔をあける位置あるいは七曜表の印刷位置を適宜調整する必要がある。
【００４３】
なお、以上の説明中において薬の服用とは単に薬を飲むことだけではなく広く薬の使用を指し、いうまでもなく点眼薬や塗布薬等の外用薬の使用を忘れないようにするために本発明のカレンダーを使用できる。
【００４４】
【本発明の作用、効果】
本発明に係るカレンダーによれば、頒布者の表示欄のほかにスポンサーの広告欄を設けてあるので、広告欄に広告するスポンサーを募り、同広告欄にスポンサーの商品を掲示することにより、カレンダーの頒布者や企画者はスポンサーからの広告料収入を得ることができ、新ビジネスモデルとして有用に活用できる。
【００４５】
また、七曜表に薬袋や服用指示票を取り付けることができる薬服用カレンダーとしたものでは、次に薬を服用すべき時間帯が一目瞭然にわかり、しかも薬袋あるいは服用指示票をカレンダーに吊り下げておくことができるようにしてあるので、薬や指示票が目につきやすく、薬の飲み忘れを防止することができる。
【００４６】
上記カレンダーを薬服用カレンダーとしたものでは、例えば病院や薬局で患者に薬を渡す際に無料で頒布することができて投薬指導用として利用し易いというメリットがあり、しかも製薬会社等の医療関係業者のスポンサーとしては、薬を服用する者すなわち患者に対してカレンダーが頒布されるので、カレンダーの制作費を含む広告費に十分見合う広告効果が得られるという利点がある。
【図面の簡単な説明】
【図１】本発明に係るカレンダーの実施例を示す平面図。
【図２】係合片の平面図。
【図３】係合孔を拡大して示す平面図。
【図４】本発明に係るカレンダーの他の実施例を示す平面図。
【図５】係合孔を拡大して示す平面図。
【図６】薬袋の他の例を示す斜視図。
【図７】服用指示票の一例を示す平面図。
【図８】服用指示票の他の例を示す平面図。
【符号の説明】
１　カレンダー　　　　　　　２　薬袋
３Ａ　七曜表　　　　　　　　　３　日付欄
４　服用時間帯　　　　　　　５　連通部
６　係合片　　　　　　　　　７　頭部
８　フック部　　　　　　　　９　首部
１０　袋の孔　　　　　　　　１１　フラップ
１２　服用指示票　　　　　　１３　指示票本体
１４　粘着剤　　　　　　　　１５　スポンサーの広告欄
１６　頒布者の表示欄
【図１】
2004098293.tif 000003
【図２】
2004098293.tif 000004
【図３】
2004098293.tif 000005
【図４】
2004098293.tif 000006
【図５】
2004098293.tif 000007
【図６】
2004098293.tif 000008
【図７】
2004098293.tif 000009
【図８】
2004098293.tif 000010